(57)【特許請求の範囲】
【請求項１】
三脚を固定するための三脚ネジが螺合可能なネジ取付け部を有するカメラ本体と、
前記ネジ取付け部の近傍に配設され、前記三脚ネジが前記ネジ取付け部のネジ孔に螺着された状態においてネジ取付け信号を出力するネジ検出手段と、
前記ネジ取付け信号が出力されていない間、シャッタレリーズを禁止するシャッタ制御手段と、
ストロボが発光されるか否かを判定するストロボ判定手段と、
前記ストロボを発光させないときに、撮影がスローシャッタで実行されるか否かを判定するスローシャッタ判定手段と、
前記ネジ検出手段は、前記スローシャッタ制御手段により撮影がスローシャッタで実行されると判定されたときのみに前記ネジ取付け信号を出力する
ことを特徴とするカメラのブレ撮影防止装置。
【請求項２】
前記ネジ検出手段が、前記三脚ネジに押圧された状態で前記ネジ取付け信号を出力するタクトスイッチであることを特徴とする請求項１に記載のカメラのブレ撮影防止装置。
【請求項３】
前記ネジ検出手段が、前記三脚ネジが干渉した状態で前記ネジ取付け信号を出力するフォトインタラプタであることを特徴とする請求項１に記載のカメラのブレ撮影防止装置。
【請求項４】
前記カメラ本体の振動を検出可能なブレ検出器を備え、前記シャッタ制御手段は前記カメラ本体の振動が検出されているとき、シャッタレリーズを禁止することを特徴とする請求項１に記載のカメラのブレ撮影防止装置。
【請求項５】
前記シャッタ制御手段は、前記ネジ検出手段がネジ取付け信号を出力していない状態であってもシャッタレリーズを禁止可能であることを特徴とする請求項４に記載のカメラのブレ撮影防止装置。
【請求項６】
前記ブレ検出器が角速度センサであることを特徴とする請求項４に記載のカメラのブレ撮影防止装置。
【請求項７】
前記角速度センサが圧電振動ジャイロであることを特徴とする請求項６に記載のカメラのブレ撮影防止装置。
【発明の詳細な説明】
【０００１】
【発明の属する技術分野】
本発明は、露光により得られた画像を例えば電子的に現像する記録媒体を使用するカメラに関し、特にその画像のブレを防止する装置に関する。
【０００２】
【従来の技術】
従来、撮影レンズにより得られた光学像を電子的に現像することができる写真材料が知られており、例えば特開平５−２２８０号公報には、静電情報記録媒体と電荷保持媒体とを組み合わせた記録媒体が開示されている。この明細書では、このような記録媒体を電子現像型記録媒体と呼び、また電子現像型記録媒体を用いるカメラを電子現像型カメラと呼ぶ。
【０００３】
電子現像型カメラにおいてカラー画像を得る手段として、電子現像型記録媒体を３つの記録領域に分割するとともに、各記録領域の前方に例えばレッド、グリーンおよびブルーのカラーフィルタ要素を設け、各記録領域を１つずつ撮影光学系の光路内に配置させて撮影する構成が可能である。すなわち、このような構成では、１つの被写体像を撮影するために３つの記録領域を順次露光する必要があり、この撮影の間カメラを静止させておかなければならない。
【０００４】
【発明が解決しようとする課題】
したがって、上述した撮影動作ではカメラ本体を三脚に固定することが望ましい。しかし、せっかく三脚を用意した場合であっても、カメラ本体を三脚にしっかりと固定しない状態で撮影動作を行ったりすることも考えられる。
【０００５】
本発明は、カメラ本体を三脚に固定した状態であるか否かをチェックするとともに、三脚に完全に固定しない状態での撮影を防止することができるカメラのブレ撮影防止装置を得ることを目的としている。
【０００６】
【課題を解決するための手段】
本発明に係るカメラのブレ撮影防止装置は、三脚を固定するための三脚ネジが螺合可能なネジ取付け部を有するカメラ本体と、ネジ取付け部の近傍に配設され、三脚ネジがネジ取付け部のネジ孔に螺着された状態においてネジ取付け信号を出力するネジ検出手段と、ネジ取付け信号が出力されていない間、シャッタレリーズを禁止するシャッタ制御手段とを備えたことを特徴としている。
【０００７】
ネジ検出手段は例えば、三脚ネジに押圧された状態でネジ取付け信号を出力するタクトスイッチ、あるいは三脚ネジが干渉した状態で前記ネジ取付け信号を出力するフォトインタラプタである。
【０００８】
本発明のブレ撮影防止装置は、カメラ本体の振動を検出可能なブレ検出器を備えていてもよく、この場合、シャッタ制御手段はカメラ本体の振動が検出されているとき、シャッタレリーズを禁止する。ブレ検出器は、ネジ検出手段がネジ取付け信号を出力していない状態であってもシャッタレリーズを禁止可能である。ブレ検出器は例えば角速度センサであり、角速度センサは例えば圧電振動ジャイロである。
【０００９】
【発明の実施の形態】
以下、本発明の実施の形態を図面を参照して説明する。
図１は本発明の第１実施形態を適用したスチルビデオカメラの外観図である。このスチルビデオカメラは電子現像型カメラであり、電子現像型記録媒体によって画像を現像するように構成されている。
【００１０】
カメラ本体５０の前面の略中央には撮影光学系である交換レンズ５１を装着するためのレンズマウント５２が形成されている。レンズマウント５２の側方には交換レンズ５１を取り外すとき押下される取外しボタン５３が設けられ、またレンズマウント５２の左上方にはホワイトバランス調整用窓５４が配設されている。カメラ本体５０の上面の略中央には、ストロボを装着するためのストロボシュー５５が設けられ、ストロボシュー５５の側方にはレリーズボタン５６が設けられている。カメラ本体５０の側面には、外部のコンピュータ等に画像データを送信するための通信コネクタ５７が設けられている。一方、カメラ本体５０の下面には、電子現像型記録媒体（図示せず）をカメラ本体５０内に装着するためのスロット（図示せず）が形成されている。
【００１１】
カメラ本体５０内であって底部の略中央には、ネジ取付け部５８が設けられている。ネジ取付け部５８は筒状の部材であり、その内部には、カメラ本体５０に三脚を固定するための三脚ネジ（図示せず）が螺合可能なネジ孔が形成されている。ネジ取付け部５８の近傍には、三脚ネジが取り付けられているか否かを検出するためのネジ検出器５９が配設されている。
【００１２】
図２は第１実施形態の電子現像型カメラのブロック図である。
システムコントロール回路２０はマイクロコンピュータであり、本電子現像型カメラの全体の制御を行う。
【００１３】
撮影光学系１２には複数のレンズ群の他、絞り１２ａが設けられている。撮影光学系１２の後方には、相互に一体的に連結された３つの電子現像型記録媒体３０ａ、３０ｂ、３０ｃが配設され、撮影光学系１２と各電子現像型記録媒体３０ａ〜３０ｃの間にはクイックリターンミラー２１が設けられている。クイックリターンミラー２１の上方にはファインダ光学系２３のピント板２３ａが配設されている。クイックリターンミラー２１と電子現像型記録媒体３０ａ〜３０ｃの間には回転色フィルタ４５とシャッタ２２が設けられ、回転色フィルタ４５はシャッタ２２の前方に位置している。
【００１４】
回転色フィルタ４５は図３に示すように円板状を呈し、軸心４５aから放射線状に延びる分割線によって、Ｒフィルタ４５ｂ、Ｇフィルタ４５ｃおよびＢフィルタ４５ｄに分割されている。回転色フィルタ４５は回転色フィルタ駆動回路４６により、軸心４５ａの周りに回転駆動される。すなわち回転色フィルタ４５は３つの電子現像型記録媒体３０ａ〜３０ｃの前方に配設され、各電子現像型記録媒体３０ａ〜３０ｃに対して、それぞれレッド（Ｒ）、グリーン（Ｇ）およびブルー（Ｂ）の色成分の光線を導く。
【００１５】
電子現像型記録媒体３０ａ〜３０ｃは、シャッタ２２の後方すなわち回転色フィルタ４５とは反対側に設けられ、図３に示すように３つの電子現像型記録媒体３０ａ〜３０ｃが上下方向に連結されている。電子現像型記録媒体３０ａ〜３０ｃは媒体移送駆動回路４７により上下方向に変位可能である。例えばＲフィルタ４５ｂが上方位置に定められている時、ひとつの電子現像型記録媒体３０ａがＲフィルタ４５ｂの後方に位置し、この状態で、Ｒの色成分に対応した画像がその電子現像型記録媒体３０ａによって現像される。
【００１６】
絞り１２ａ、クイックリターンミラー２１およびシャッタ２２は、それぞれアイリス駆動回路２４、ミラー駆動回路２５およびシャッタ駆動回路２６によって駆動され、これらの回路２４、２５、２６は露出制御回路２７により制御される。露出制御回路２７はシステムコントロール回路２０から出力される指令信号に従って動作する。すなわち、露出制御時、測光センサ２８からの出力信号に基づく露出制御回路２７の制御に従って、絞り１２ａはアイリス駆動回路２４により開度を調整される。
【００１７】
クイックリターンミラー２１は通常、被写体を観察する位置であるダウン位置（実線により示される傾斜状態）に定められ、撮影光学系１２を通過した光をファインダ光学系２３に導いているが、撮影動作時、露出制御回路２７の制御に従い、ミラー駆動回路２５によって上方に回動せしめられ、退避位置であるアップ位置（破線により示される水平状態）に定められる。シャッタ２２は電子現像型記録媒体３０ａ〜３０ｃに導かれる光路を開閉するものであり通常閉塞しているが、撮影動作時、露出制御回路２７の制御に従って、シャッタ駆動回路２６によって所定時間開放され、これにより撮影光学系１２を通過した光が電子現像型記録媒体３０ａ〜３０ｃの受光面に照射される。
【００１８】
電子現像型記録媒体３０ａ〜３０ｃは記録媒体駆動回路４１の制御に基づいて電圧を印加される。この電圧印加の間に露光されることによって各電子現像型記録媒体３０ａ〜３０ｃには、撮影光学系１２および回転色フィルタ４５を介して結像されたＲ，Ｇ，Ｂの色成分に対応する画像が、可視像としてそれぞれ現像される。なお記録媒体駆動回路４１は、システムコントロール回路２０から出力される指令信号に従って動作する。
【００１９】
各電子現像型記録媒体３０ａ〜３０ｃに対する電圧印加のタイミングは、測光センサ２８からの出力信号に基づいて制御される。測光センサ２８はＲ，Ｇ，Ｂの各測光値を検出するように構成されており、これらの測光値に基づいて、システムコントロール回路２０では、各電子現像型記録媒体３０ａ〜３０ｃに対する電圧印加の時間の長さと開始時間が演算される。この演算結果に基づき、３つの電圧印加スイッチ４２ａ、４２ｂ、４２ｃの開閉が制御されて各電子現像型記録媒体３０ａ、３０ｂ、３０ｃに対する電圧印加が制御される。この電圧印加の開始時間の制御によって、各電子現像型記録媒体３０ａ〜３０ｃの感度が調整され、Ｒ，Ｇ，Ｂの色成分に対する適正露光が得られる。
【００２０】
システムコントロール回路２０には、ネジ検出器５９とカメラブレ検出器６０とが接続されている。ネジ検出器５９は、三脚ネジがネジ取付け部５８のネジ孔に螺着された状態において、システムコントロール回路２０に対してネジ取付け信号を出力する。カメラブレ検出器６０はカメラ本体５０の振動を検出するために設けられ、例えば圧電振動ジャイロ等の角速度センサであり、カメラ本体５０の振動の角速度に対応した信号をシステムコントロール回路６０に対して出力する。
【００２１】
システムコントロール回路２０にはレリーズボタン５６に連動してオンオフするレリーズスイッチ１４が接続され、レリーズスイッチ１４の操作によって撮像動作が行われる。またシステムコントロール回路２０には、この電子現像型カメラの種々の設定状態等を表示するための表示素子１８が接続され、またストロボ１３を駆動するストロボ駆動回路１９が接続されている。
【００２２】
図４は電子現像型記録媒体３０の記録領域の構成を示す図であり、これは特開平５−２２８０号公報に開示されたものと基本的に同じである。
【００２３】
すなわち電子現像型記録媒体３０は静電情報記録媒体３１と電荷保持媒体３２を備え、電源３３によって電圧を印加される。静電情報記録媒体３１は、基板３４、電極層３５、無機酸化物層３６および光導電層３７を積層して成り、光導電層３７は電荷発生層３７ａと電荷輸送層３７ｂを重合させて構成される。電荷保持媒体３２は、液晶支持体３８と液晶電極層３９の間に例えばスメクティック液晶等のメモリ性を有する液晶４０を封入して構成される。静電情報記録媒体３１の電荷輸送層３７ｂと電荷保持媒体３２の液晶支持体３８とは微小間隙をもって対向している。
【００２４】
電源３３と記録媒体駆動回路４１はカメラ本体１１に設けられ、電子現像型記録媒体３０がカメラの所定位置に装着されると通電可能となり、記録媒体駆動回路４１の制御に基づいて、電源３３により所定の電圧が電子現像型記録媒体３０に印加される。電極層３５と液晶電極層３９の間、すなわち静電情報記録媒体３１と電荷保持媒体３２に電圧が印加された状態で静電情報記録媒体３１が露光されると、静電情報記録媒体３１には、画像に応じた電荷が発生する。この電荷に応じて、液晶４０に作用する電界の強さが変化するため、液晶４０には、その画像が可視像として表示され、被写体像が現像される。この電荷保持媒体３２はメモリ性を有する液晶表示素子であり、現像された可視像は電界を除去しても保持される。この液晶表示素子は、加熱装置（図示せず）を用いて所定の温度に加熱することにより、現像された可視像を消去させることもでき、その場合は繰り返し同一記録媒体を用いることもできる。
【００２５】
図５はネジ取付け部５８とネジ検出器５９の構成の一例を示している。ネジ取付け部５８は、カメラ本体５０の底板５０ａに設けられ、カメラ本体５０内に突出している。図５（ａ）に示されるように、ネジ取付け部５８の内周壁面にはネジ孔５８ａが形成され、また図５（ｂ）に示されるように、ネジ孔５８ａには三脚ネジ６１が螺合される。
【００２６】
ネジ検出器５９はタクトスイッチであり、本体５９ａと押圧部５９ｂを有し、押圧部５９ｂは押圧されることにより本体５９ａ内に嵌入される。ネジ検出器５９はカメラ本体５０内に設けられた固定枠６２に支持バネ６３を介して連結され、ネジ取付け部５８の突出端部に対向させて設けられている。支持バネ６３のバネ力は、本体５９ａと押圧部５９ｂの間を連結するバネのバネ力よりもかなり大きく、実質的に伸縮しない。すなわち、図５（ｂ）に示されるように三脚ネジ６１がネジ孔５８ａに螺着された状態において、押圧部５９ｂは三脚ネジ６１に押圧されて本体５９ａ内に入り込む。この状態において、三脚ネジ６１が取り付けられていることを示す信号（ネジ取付け信号）がネジ検出器５９からシステムコントロール回路２０に対して出力される。
【００２７】
図６はネジ検出器５９の構成の他の例を示している。このネジ検出器５９はフォトインタラプタであり、隙間５９ｃを挟んで発光素子と受光素子（図示せず）が設けられている。隙間５９ｃは、図６（ａ）に示されるようにネジ取付け部５８の突出端部に対向しており、図６（ｂ）に示されるように三脚ネジ６１がネジ孔５８ａに螺着された状態において、三脚ネジ６１の先端が隙間５９ｃ内に入り込んで発光素子と受光素子の間に干渉し、これによりネジ取付け信号がネジ検出器５９からシステムコントロール回路２０に対して出力される。
【００２８】
図７〜図９は撮影動作のフローチャートである。これらの図を参照して、本実施形態の作用を説明する。
【００２９】
ステップ１０１においてレリーズスイッチ１４がオン状態に切り換えられたことが検出されると、ステップ１０２において、ネジ検出器５９からネジ取付け信号が出力されているか否か、すなわち三脚ネジ６１がネジ取付け部５８に装着されているか否かが判定される。三脚ネジ６１が装着されていない場合、ステップ１０１へ戻る。すなわちネジ取付け信号が出力されていない間、シャッタレリーズが禁止される。
【００３０】
これに対して三脚ネジ６１が装着されている場合、ステップ１０３へ進み、カメラブレが発生しているか否かが判定される。この判定は、カメラブレ検出器６０から出力される信号に基づいて行われ、カメラ本体５０の振動の角速度が所定値よりも大きいとき、再びステップ１０１が実行される。すなわちカメラ本体５０の振動が検出されているとき、シャッタレリーズは禁止される。
【００３１】
ステップ１０３においてカメラブレが発生していないと判定されたとき、ステップ１０４において、測光センサ２８からの出力信号が検出される。次いでステップ１０５では、Ｒ，Ｇ，Ｂの測光値に基づいて露出演算が行われ、絞り１２ａの開度とシャッタスピード（露出時間）が求められ、また露出演算の結果に基づいて、３つの電子現像型記録媒体３０ａ〜３０ｃに対する電圧印加が演算される。
【００３２】
ステップ１０６では、記録媒体駆動回路４１の駆動が開始される。ステップ１０７では、クイックリターンミラー２１がダウン状態からアップ状態に変化し、また絞り１２ａの開度が全開状態から所定開度まで変化する。なお、回転色フィルタ４５と電子現像型記録媒体３０ａ〜３０ｃの初期状態として、Ｒフィルタ４５ｂが上方位置に定められるとともに、このＲフィルタ４５ｂの後方に、Ｒの色成分の画像を現像するための電子現像型記録媒体３０ａが配置されているものとする。
【００３３】
ステップ１０８ではシャッタ２２が開放される。ステップ１０９では電子現像型記録媒体３０ａに対応した電圧印加スイッチ４２ａがオン状態に定められ、電子現像型記録媒体３０ａへの電圧印加が開始される。ステップ１１０では、ステップ１０８におけるシャッタ２２の開放から、ステップ１０５において求められた露出時間が経過したか否かが判定される。露出時間が経過すると、ステップ１１１においてシャッタ２２が閉塞される。次いでステップ１１２において、ステップ１０９における電圧印加スイッチ４２ａのオンから所定の印加時間が経過したことが確認されると、電圧印加スイッチ４２ａがオフ状態に定められる。これにより、電子現像型記録媒体３０ａにはＲの色成分に対応した画像が現像される。
【００３４】
ステップ１１４では回転色フィルタ４５が回転移送され、また電子現像型記録媒体３０ａ〜３０ｃが上方向に移送される。回転色フィルタ４５が約１２０度回転移送され、かつ電子現像型記録媒体３０ａ〜３０ｃの移送が完了して、Ｇの色成分の画像を現像するための電子現像型記録媒体３０ｂがＧフィルタ４５ｃの後方に配置されると、ステップ１１５〜１２０においてＧの画像が得られる。すなわち、ステップ１１５ではシャッタ２２が開放され、ステップ１１６では電圧印加スイッチ４２ｂがオン状態に定められる。ステップ１１７において露出時間が経過したことが確認されると、ステップ１１８においてシャッタ２２が閉塞する。またステップ１１９において、ステップ１１６における電圧印加スイッチ４２ｂのオンから所定の印加時間が経過したことが確認されると、ステップ１２０において電圧印加スイッチ４２ｂがオフ状態に定められる。これにより、電子現像型記録媒体３０ｂにはＧの色成分に対応した画像が現像される。
【００３５】
次いで、同様にＢの色成分の画像が現像される。すなわち、ステップ１２１では回転色フィルタ４５が回転移送され、また電子現像型記録媒体３０ａ〜３０ｃが上方向に移送されて、Ｂの色成分の画像を現像するための電子現像型記録媒体３０ｃがＢフィルタ４５ｃの後方に配置される。ステップ１２２ではシャッタ２２が開放され、ステップ１２３では電圧印加スイッチ４２ｃがオン状態に定められる。ステップ１２４において露出時間が経過したことが確認されると、ステップ１２５においてシャッタ２２が閉塞する。ステップ１２６において、電圧印加スイッチ４２ｃがオン状態に定められてから所定の印加時間が経過したことが確認されると、ステップ１２７において電圧印加スイッチ４２ｃがオフ状態に定められる。これにより電子現像型記録媒体３０ｃにはＢの色成分に対応した画像が現像される。
【００３６】
Ｂの画像の現像が終了すると、ステップ１２８においてミラー２１がダウン状態に変化するとともに絞り１２ａが全開状態まで開放する。またステップ１２９では、記録媒体駆動回路４１が停止され、ステップ１３０では回転色フィルタ４５と電子現像型記録媒体３０ａ〜３０ｃが初期位置に向かって移送され、この撮影動作ルーチンは終了する。
【００３７】
図１０は、カメラブレ検出動作のルーチンのフローチャートである。このカメラブレ検出動作ルーチンは、図７のステップ１０４における測光値検出が開始された後、一定時間毎に割り込み処理される。
【００３８】
ステップ２０１では、カメラブレ検出器６０からの出力信号に基づいて、カメラブレが発生しているか否かが判定される。カメラブレが発生していないとき、このルーチンは直ちに終了するが、カメラブレが発生しているとき、ステップ２０２以下が実行され、撮影動作すなわちシャッタレリーズが禁止される。
【００３９】
まずステップ２０２では、カメラブレが発生しているために撮影を中止する旨のメッセージが表示素子１８によって表示される。ステップ２０３では電圧印加スイッチ４２ａ、４２ｂ、４２ｃがオフ状態に定められ，ステップ２０４では記録媒体駆動回路４１が停止される。次いでステップ２０５ではシャッタ２２が閉塞され、ステップ２０６ではミラー２１がダウン状態に変化するとともに絞り１２ａが全開状態まで開放する。またステップ２０７では、回転色フィルタ４５と電子現像型記録媒体３０ａ〜３０ｃが初期位置に向かって移送される。これによりカメラブレ検出動作ルーチンは終了する。
【００４０】
以上のように本実施形態によれば、三脚ネジ６１が締めつけられていないためにカメラ本体５０が三脚に固定されていない場合には、撮影動作が禁止されるので、Ｒ，Ｇ，Ｂの画像を記録する際にカメラ本体５０が振動することはなくなり、鮮明なカラー画像を得ることができる。また三脚ネジ６１が締めつけられた状態であっても、カメラブレ検出器６０によってカメラブレが検出された場合には、撮影動作が禁止される。すなわち例えば、三脚ネジ６１が締結されいていても三脚の固定が不十分であるためにカメラブレが発生した場合、撮影開始前であればシャッタレリーズが禁止され、また撮影動作が開始した後であれば撮影動作が中止される。
【００４１】
なお、図１０のカメラブレ検出動作のルーチンと同様に、三脚ネジ６１が締めつけられているか否かを検出するルーチンを一定時間毎に割り込み処理するように構成してもよい。すなわち三脚ネジ検出ルーチンでは、図１０のステップ２０１に相当するステップにおいて、ネジ取付け信号に基づいて、三脚ネジ６１が締めつけられているか否かをチェックし、その他のステップは図１０と同様である。
【００４２】
図１１は第２実施形態の電子現像型カメラのブロック図である。
この実施形態の第１実施形態と異なる点は、回転色フィルタ４５に代えて、色分解プリズム２９が設けられ、また電子現像型記録媒体３０ａ、３０ｂ、３０ｃが相互に独立に設けられていることである。色分解プリズム２９はシャッタ２２の前方に設けられている。その他の構成は第１実施形態と同じである。
【００４３】
第２実施形態では、１つの被写体像を撮影するためにシャッタ２２の開閉動作は１回であり、この間にＲ，Ｇ，Ｂの画像がそれぞれ電子現像型記録媒体３０ａ、３０ｂ、３０ｃに記録される。すなわち、１つの被写体像を撮影するために要する時間は、第１実施形態と比較して３分の１以下であり、カメラブレが生じる可能性は低い。
【００４４】
図１１〜図１２は第２実施形態における撮影動作のフローチャートである。これらの図を参照して、本実施形態の作用を説明する。
【００４５】
ステップ３０１においてレリーズスイッチ１４がオン状態に切り換えられたことが検出されると、ステップ３０２において、カメラブレ検出器６０から出力される信号に基づいて、カメラブレが発生しているか否かが判定される。カメラブレが発生しているとき、ステップ３０１へ戻り、すなわちシャッタレリーズが禁止される。これに対してカメラブレが発生していないとき、ステップ３０３において、測光センサ２８からの出力信号である測光値が検出され、ステップ３０４において、Ｒ，Ｇ，Ｂの測光値に基づいて露出演算が行われる。すなわち絞り１２ａの開度とシャッタスピード（露出時間）が求められ、また露出演算の結果に基づいて、３つの電子現像型記録媒体３０ａ〜３０ｃに対する電圧印加が演算される。
【００４６】
ステップ３０５ではストロボ１３が発光されるか否かが判定される。ストロボ１３を発光させない場合、ステップ３０６において撮影がスローシャッタで行われるか否か、すなわちシャッタスピードが例えば１／６０秒よりも遅いか否かが判定される。撮影がスローシャッタで行われる場合、ステップ３０７が実行され、三脚ネジ６１がネジ取付け部５８に装着されているか否かが判定される。三脚ネジ６１が装着されていない場合、ステップ３０１へ戻り、シャッタレリーズが禁止される。
【００４７】
すなわち本実施形態では、撮影がスローシャッタで行われる場合、カメラブレが発生するおそれがあるため、ステップ３０７が実行されて三脚ネジ６１の装着がチェックされる。
【００４８】
これに対し、ステップ３０６において撮影がスローシャッタで行われないと判定された場合、カメラブレの発生のおそれはないため、三脚ネジ６１の締結状態をチェックする必要はなく、ステップ３０７はスキップされる。一方ステップ３０５において、ストロボ１３を用いた撮影を行おうとしていると判定された場合、ステップ３０８において、露出時間がストロボ同調スピード（１／１２５秒）に設定され、これもスローシャッタではないためステップ３０７はスキップされる。
【００４９】
ステップ３０６、３０７または３０８の実行の後、ステップ３０９以下において撮影動作が行われる。
【００５０】
ステップ３０９では記録媒体駆動回路４１の駆動が開始される。ステップ３１０では、クイックリターンミラー２１がダウン状態からアップ状態に変化し、また絞り１２ａの開度が全開状態から所定開度まで変化する。ステップ３１１ではシャッタ２２が開放される。ステップ３１２では各電圧印加スイッチ４２ａ、４２ｂ、４２ｃがオン状態に定められ、電子現像型記録媒体３０ａ、３０ｂ、３０ｃへの電圧印加が開始される。ステップ３１３では、ステップ３１１におけるシャッタ２２の開放から、ステップ３０４において求められた露出時間が経過したか否かが判定される。露出時間が経過すると、ステップ３１４においてシャッタ２２が閉塞される。ステップ３１５において、ステップ３１２における電圧印加スイッチ４２ａ、４２ｂ、４２ｃのオンから所定の印加時間が経過したことが確認されると、電圧印加スイッチ４２ａ、４２ｂ、４２ｃがオフ状態に定められる。これにより、電子現像型記録媒体３０ａ、３０ｂ、３０ｃには、Ｒ，Ｇ，Ｂの色成分に対応した画像がそれぞれ現像される。
【００５１】
ステップ３１７ではミラー２１がダウン状態に変化するとともに絞り１２ａが全開状態まで開放する。またステップ３１８では、記録媒体駆動回路４１が停止され、この撮影動作ルーチンは終了する。
【００５２】
また第２実施形態においても、図１０に示すカメラブレ検出動作ルーチンが実行されるが、回転色フィルタ４５は設けられていないので、ステップ２０７は不要である。
【００５３】
以上のように第２実施形態によれば、色分解プリズム２９を用いるために撮影動作の時間が相対的に短く、カメラブレが生じにくい場合であっても、撮影がスローシャッタで行われる場合には三脚ネジ６１の締めつけ状態が検出される。したがって、このような撮影動作であっても、カメラ本体５０が振動することはなくなり、鮮明なカラー画像を得ることができる。
【００５４】
また第２実施形態においても、カメラブレ検出動作ルーチン（図１０参照）が実行されるため、第１実施形態と同様な効果が得られる。
【００５５】
【発明の効果】
以上のように本発明によれば、カメラ本体を三脚に固定した状態であるか否かをチェックすることができ、またカメラブレによる撮影ミスの発生を確実に防止することができる。
【図面の簡単な説明】
【図１】本発明の第１実施形態を適用した電子現像型カメラの外観図である。
【図２】図１の電子現像型カメラの回路構成を示すブロック図である。
【図３】回転色フィルタと電子現像型記録媒体の位置関係を示す図である。
【図４】電子現像型記録媒体の構成を示す図である。
【図５】ネジ検出器の一例を示す図である。
【図６】ネジ検出器の他の例を示す図である。
【図７】撮影動作のフローチャートである。
【図８】撮影動作のフローチャートである。
【図９】撮影動作のフローチャートである。
【図１０】カメラブレ検出動作のフローチャートである。
【図１１】第２実施形態の電子現像型カメラのブロック図である。
【図１２】第２実施形態における撮影動作のフローチャートである。
【図１３】第２実施形態における撮影動作のフローチャートである。
【符号の説明】
５０  カメラ本体
５８  ネジ取付け部
５８ａ  ネジ孔
５９  ネジ検出器
６１  三脚ネジ
【図１】
0003793281.tif 000002
【図２】
0003793281.tif 000003
【図３】
0003793281.tif 000004
【図４】
0003793281.tif 000005
【図５】
0003793281.tif 000006
【図６】
0003793281.tif 000007
【図７】
0003793281.tif 000008
【図８】
0003793281.tif 000009
【図９】
0003793281.tif 000010
【図１０】
0003793281.tif 000011
【図１１】
0003793281.tif 000012
【図１２】
0003793281.tif 000013
【図１３】
0003793281.tif 000014